(57)【要約】【課題】ユーザの嗜好に応じた選局動作を容易な操作で実行可能とする。【解決手段】放送受信装置は、複数のチャンネルを切り換えて所定のチャンネルを選局する選局手段と、前記選局手段により選局されたチャンネルにおいて放送される番組を受信する受信手段と、前記選局手段により選局されたチャンネルを指定する指定手段と、前記指定手段により指定されたチャンネル以外のチャンネル間で選局動作を行うように前記選局手段を制御する制御手段とを備えて構成される。【選択図】　　　図３
2004104487.tif 000002
【特許請求の範囲】
【請求項１】
テレビジョン放送を受信する装置であって、
複数のチャンネルを切り換えて所定のチャンネルを選局する選局手段と、
前記選局手段により選局されたチャンネルにおいて放送される番組を受信する受信手段と、
前記選局手段により選局されたチャンネルを指定する指定手段と、
前記指定手段により指定されたチャンネル以外のチャンネル間で選局動作を行うように前記選局手段を制御する制御手段とを有することを特徴とする放送受信装置。
【請求項２】
前記指定手段により指定されたチャンネルに係る情報を表示手段に表示するように制御する表示制御手段を有することを特徴とする請求項１に記載の放送受信装置。
【請求項３】
前記選局手段により所定の順序で複数のチャンネル間の選局動作を実行する場合、前記指定手段により指定されたチャンネルの順序において前記表示制御手段により前記チャンネルに係る情報を表示することを特徴とする請求項２に記載の放送受信装置。
【請求項４】
前記制御手段は、前記表示手段が前記指定手段により指定されたチャンネルに係る情報を表示している間、前記チャンネルの指定を削除可能とすることを特徴とする請求項３に記載の放送受信装置。
【請求項５】
前記選局手段により所定の順序で複数のチャンネル間の選局動作を実行する場合、前記指定手段により指定されたチャンネルの順序において所定時間経過後に次のチャンネルの選局動作を実行することを特徴とする請求項１に記載の放送受信装置。
【請求項６】
前記制御手段は、前記所定時間において前記チャンネルの指定を削除可能とすることを特徴とする請求項５に記載の放送受信装置。
【請求項７】
前記制御手段は、前記指定手段によりチャンネルが指定された際に該指定チャンネルにおいて放送中の番組の放送終了に応じて前記指定チャンネルの指定を削除することを特徴とする請求項１に記載の放送受信装置。
【請求項８】
前記指定手段は、所定の操作ボタンの操作により指定されることを特徴とする請求項１に記載の放送受信装置。
【請求項９】
複数のチャンネルを切り換えて所定のチャンネルを選局し、前記選局されたチャンネルにおいて放送される番組を受信する放送受信方法であって、
前記選局されたチャンネルを指定し、
前記指定されたチャンネル以外のチャンネル間で選局動作を行うように制御することを特徴とする放送受信方法。
【請求項１０】
所定の順序で複数のチャンネル間の選局動作を実行する場合、前記指定されたチャンネルの順序において当該チャンネルに係る情報を表示手段に表示することを特徴とする請求項９に記載の放送受信方法。
【請求項１１】
前記表示手段が前記指定されたチャンネルに係る情報を表示している間、前記チャンネルの指定を削除可能とすることを特徴とする請求項１０に記載の放送受信方法。
【請求項１２】
チャンネル番号順に複数のチャンネル間の選局動作を実行する場合、前記指定されたチャンネルの順序において所定時間経過後に次のチャンネルの選局動作を実行することを特徴とする請求項９に記載の放送受信方法。
【請求項１３】
前記所定時間において前記チャンネルの指定を削除可能とすることを特徴とする請求項１２に記載の放送受信方法。
【請求項１４】
チャンネルが指定された際に該指定チャンネルにおいて放送中の番組の放送終了に応じて前記指定チャンネルの指定を削除することを特徴とする請求項１に記載の放送受信方法。
【発明の詳細な説明】
【０００１】
【発明の属する技術分野】
本発明は、デジタルテレビ放送受信装置に関する。
【０００２】
【従来の技術】
最近、テレビ番組を構成する映像・音声データをＭＰＥＧ方式の圧縮技術を用いて圧縮し、符号化されたデータを放送するデジタル放送が開始されている。特にデータ量が膨大である映像データを圧縮することにより、従来と同じ放送帯域を使用して、より多くのチャンネル、すなわち番組の放送が可能となっている。
【０００３】
従来からの番組選択方法には、リモコン等のチャンネルアップ・ダウンボタンを操作することにより、チャンネルを順次切り替え、所望の番組を視聴する、といった方法がある。
【０００４】
しかし、デジタル放送においては、より多くの番組の中からユーザが所望の番組を容易に選択可能とするために、ＥＰＧ（Ｅｌｅｃｔｒｉｃ　ＰｒｏｇｒａｍＧｕｉｄｅ）が考案され、実現されている。ＥＰＧとは、放送局より番組に番組情報を付加して送信し、受信機では、受信された番組情報より、新聞のラジオ・テレビ欄のような番組メニュー画面を生成、ユーザに提示し、ユーザはこのメニュー画面を見ながら番組を選択し、受信機が、選択した番組のチャンネルに切り替えることにより、ユーザが希望する番組の視聴を可能とするものである。
【０００５】
また、チャンネル順次切り替え方法においても、特開平１１−２２０６７５によれば、視聴した番組の選局回数を記憶し、選局回数の多いものからユーザに提示することが可能となる。また、特開平１０−１４５７００によれば、興味のある番組を記憶ボタンにより登録し、呼び出しボタンにより、記憶された番組を順次視聴可能となる。等が考案されている。
【０００６】
【発明が解決しようとする課題】
しかしながら上記従来例においては、以下のような欠点があった。
【０００７】
実際に興味がある、ないは、数分間程度の視聴後、明らかになる場合が多く、ＥＰＧ上の情報だけでは正確に判断することが難しい。ＥＰＧでのチャンネル切り替えは、ＥＰＧメニュー画面に切り替え、ＥＰＧメニューの所望の番組を選択するために、リモコンを適宜操作する、といった操作が必要であり、頻繁にチャンネルを切り替えるような状況には不向きである。
【０００８】
特開平１１−２２０６７５によっても、選局回数等の履歴では、現在のユーザの状況、状態を正確に反映することは不可能である。
【０００９】
特開平１０−１４５７００によっても、例えば全１００チャンネルの放送番組の中で、８０の興味のある番組が存在したときに、その登録操作が煩雑である。
【００１０】
このような背景下において、本発明は、前述の如く問題を解決することを目的とする。
【００１１】
また、本発明の更に他の目的は、ユーザの嗜好に応じた選局動作を容易な操作で実行可能とする処にある。
【００１２】
【課題を解決するための手段】
上記目的を達成するため、請求項１に記載の本発明は、テレビジョン放送を受信する装置であって、複数のチャンネルを切り換えて所定のチャンネルを選局する選局手段と、前記選局手段により選局されたチャンネルにおいて放送される番組を受信する受信手段と、前記選局手段により選局されたチャンネルを指定する指定手段と、前記指定手段により指定されたチャンネル以外のチャンネル間で選局動作を行うように前記選局手段を制御する制御手段とを有して構成される。
【００１３】
また、請求項９に記載の本発明は、複数のチャンネルを切り換えて所定のチャンネルを選局し、前記選局されたチャンネルにおいて放送される番組を受信する放送受信方法であって、前記選局されたチャンネルを指定し、前記指定されたチャンネル以外のチャンネル間で選局動作を行うように制御することを特徴として構成される。
【００１４】
【発明の実施の形態】
（実施例）
（第一の実施例）
本発明を適用した第一の実施例であるところの、デジタルテレビを以下に説明する。図１は第一の実施例における、デジタルテレビの主要部の構成を示す図である。
【００１５】
同図において、１１０はチューナー部（特許請求の範囲に記載の受信手段に相当する）であり、アンテナ１２０からの信号を受信し、受信データの復調や誤り訂正等を行い、トランスポートストリーム（ＴＳ）データを出力する。１３０はデマルチプレクサであり、複数チャンネル分の映像、音声データ等が時分割多重化されているＴＳデータから、所望の映像データＤ１、音声データＤ２とを取り出す。取り出された映像データ（デジタルテレビ放送の場合、例えばＭＰＥＧ２等により符号化されたデータである）Ｄ１はビデオデコーダ１４０へ、音声データＤ２は音声デコーダ１５０に送られ、復号される。ビデオデコーダ１４０で復号された映像データは画像合成部１６０へ送られる。１７０は音声出力部であり、Ｄ／Ａ変換器、増幅器、スピーカ等より構成され、音声デコーダ１５０で復号された音声データを音声として出力する。１６０は画像合成部であり、ビデオデコーダ１６０で復号された映像データ上に、オンスクリーン表示する画像を重ね合わせるよう、合成し出力する。１８０はＯＳＤメモリであり、オンスクリーン表示する画像イメージを記憶する。１９０は表示部であり、画像合成部１６０で合成された映像を表示する。
【００１６】
２００はリモコン信号受信部であり、リモコン（図１には不図示）より送信された赤外線を受信／デコードし、ユーザがリモコンで操作したキーのキーコードを出力する。２１０は制御部であるところのＣＰＵ（特許請求の範囲に記載の制御手段に相当する）であり、リモコン信号受信部２００を通じて、ユーザがリモコンで操作したキーを判別可能に構成され、さらに、各構成要素を統合的に制御する。２２０はメモリであり、ＣＰＵ２１０はメモリ２２０内に格納されているプログラムに従って動作し、各構成要素を制御する。また、メモリ２２０は、ＣＰＵ２１０が作業領域として使用するＲＡＭを含んでいる。さらに、メモリ２００は、番組記憶テーブルの記憶領域を含んでいる。
【００１７】
ＣＰＵ２１０は、リモコンを通じて入力されるユーザの希望チャンネルに従って、チューナー部１１０、デマルチプレクサ１３０等を適宜制御し、該チャンネルの番組の映像を表示部１９０に、音声を音声出力部１７０に出力し、ユーザに提示する。
【００１８】
また、ＣＰＵ２１０は、チューナー部１１０、デマルチプレクサ１３０等を適宜制御し、放送波に含まれる番組情報の受信、記憶、が可能に構成されている。
【００１９】
また、必要に応じて、ＣＰＵ２１０は、受信チャンネルの番号、あるいは、受信番組に関する番組情報等、を表す画像をＯＳＤメモリ１８０上に作成し、表示部１９０に提示し、ユーザが番組の視聴と共に、チャンネル番号、番組情報の確認が可能に構成されている。
【００２０】
次に、本実施例で使用するデジタルテレビ用のリモコンを図３に示し、以下に説明する。同図に示すように、リモコンは、電源ボタン３００、チャンネルアップボタン３１０、チャンネルダウンボタン３２０（ここで、チャンネルアップボタン３１０及びチャンネルダウンボタン３２０は、特許請求の範囲に記載の選局手段に相当する）、音量ボタン３３０、のデジタルテレビで一般的なボタンと、スキップボタン３４０（特許請求の範囲に記載の指定手段に相当する）を有している。
【００２１】
ＣＰＵ２１０は、リモコンのスキップボタン３４０が操作されると、現在視聴されているチャンネルを番組記憶テーブルに記憶する。
【００２２】
また、ＣＰＵ２１０は、チャンネルアップボタン３１０、またはチャンネルダウンボタン３２０が操作されると、以下の動作を行う。
【００２３】
チャンネルアップボタン３１０が操作されたときの動作フローを図３に示し、以下に説明する。
【００２４】
チャンネルアップボタン３１０が操作されると、現在視聴されているチャンネルの次のチャンネルに切り替えようと試みる（ｓｔ３１０）。ただし、切り替える前に、該チャンネルが番組記憶テーブルに記憶されているか否かを識別する（ｓｔ３２０）。
【００２５】
記憶されていない場合は、該チャンネルに切り替え、ユーザに提示する（ｓｔ３３０）。
【００２６】
記憶されている場合は、切り替えようと試みるチャンネルを、現在視聴されているチャンネルの、次のさらに次のチャンネルとし（ｓｔ３４０）、先の動作を繰り返す。
【００２７】
ここで、放送チャンネル、あるいは受信可能チャンネルが１００チャンネルから９９９チャンネルで、現在視聴されているチャンネルが９９９チャンネルであるとき、次のチャンネルとは１００チャンネルであることはいうまでもない。このことは、図３に示す動作フローにも記載していないことに注意されたい。
【００２８】
また、チャンネルダウンボタン３２０が操作されたときの動作は、上記と同様であるため、ここでは動作フローを図４に示すにとどめる。
【００２９】
以上の構成において、図１に示すデジタルテレビの動作に関して以下に説明する。
【００３０】
今、ユーザがデジタルテレビを視聴中で、興味のある番組が放送されているか否かを確認するために、チャンネルアップボタン３１０、あるいはチャンネルダウンボタン３２０を適宜操作し、１０４チャンネルの視聴になったものとする。そして、１０４チャンネルで放送されている番組は、ユーザにとって全く興味のない番組であったとする。そこでユーザは、スキップボタン３４０を操作する。すると、現在視聴中のチャンネル、すなわち１０４チャンネルが番組記憶テーブルに記憶される。
【００３１】
この状態、すなわち１０４チャンネルを視聴中に、ユーザがチャンネルアップボタン３２０を操作すると、ＣＰＵ２１０は、図３におけるｓｔ３１０、ｓｔ３２０、ｓｔ３３０と動作し、１０５チャンネルに切り替え、番組を提示する。さらに、チャンネルアップボタン３２０の操作を続けると、１０６チャンネル、１０７チャンネルと切り替え、番組を提示する。さらに同様の操作を続けることにより、チャンネルを１０３チャンネルまで順次切り替え、番組を提示する。したがって、ユーザは１０４チャンネル以外のチャンネルの番組を確認することが可能である。
【００３２】
次に、この状態、すなわち１０３チャンネルを視聴中に、ユーザがチャンネルアップボタン３２０を操作すると、ＣＰＵ２１０は、図３におけるｓｔ３１０、ｓｔ３２０、ｓｔ３４０と動作し、ｓｔ３４０で次チャンネルを１０５チャンネルとし、さらにｓｔ３１０、ｓｔ３２０、ｓｔ３３０と動作し、１０５チャンネルに切り替え、番組を提示する。したがって、ユーザは全く興味のない番組である１０４チャンネルを、特別な操作を必要とせず、スキップすることが可能となる。
【００３３】
今、１０５チャンネルを視聴の状態になったが、ここで、チャンネルダウンボタン３２０を操作すると、１０４チャンネルがスキップされ、１０３チャンネルに切り替わることも、図４より明らかである。チャンネルダウンボタン３２０を操作によっても、ユーザは１０４チャンネル以外のチャンネルの番組を確認することが可能であり、全く興味のない番組である１０４チャンネルを、特別な操作を必要とせず、スキップすることが可能となる。
【００３４】
今、１０３チャンネルを視聴の状態になったが、ここで、１０３チャンネルもユーザにとって興味のない番組であったとする。ユーザは、ここでもスキップボタン３４０を操作する。すると、現在視聴中の１０３チャンネルが番組記憶テーブルに追加記憶される。
【００３５】
ここで、ユーザがチャンネルダウンボタン３２０を操作すると、１０２チャンネルに切り替わる（図４を参照されたし）。
【００３６】
次に、この状態、すなわち１０２チャンネルを視聴中に、ユーザがチャンネルアップボタン３２０を操作すると、ＣＰＵ２１０は、図３におけるｓｔ３１０、ｓｔ３２０、ｓｔ３４０と動作し、ｓｔ３４０で次チャンネルを１０４チャンネルとし、さらにｓｔ３１０、ｓｔ３２０、ｓｔ３４０と動作し、ｓｔ３４０で次チャンネルを１０５チャンネルとし、さらにｓｔ３１０、ｓｔ３２０、ｓｔ３３０と動作し、１０５チャンネルに切り替え、番組を提示する。したがって、ユーザは興味のない番組である１０３チャンネルと１０４チャンネルの複数の番組を、特別な操作を必要とせず、スキップすることが可能となる。
【００３７】
今、１０５チャンネルを視聴の状態になったが、ここで、チャンネルダウンボタン３２０を操作すると、１０４チャンネル、１０３チャンネルがスキップされ、１０２チャンネルに切り替え、番組を提示することも、図４より明らかである。チャンネルダウンボタン３２０を操作によっても、ユーザは興味のない番組である１０３チャンネルと１０４チャンネルの複数の番組を、特別な操作を必要とせず、スキップすることが可能となる。
【００３８】
（第二の実施例）
本発明を適用した第二の実施例であるところの、デジタルテレビを以下に説明する。第二の実施例における、デジタルテレビの構成は図１と同様であり、本実施例で使用するリモコンも、図３に示すものである。以下に異なるところに関して説明する。
【００３９】
本実施例における、ＣＰＵ２１０の、チャンネルアップボタン３１０が操作されたときの動作フローを図５に示し、以下に説明する。
【００４０】
チャンネルアップボタン３１０が操作されると、現在視聴されているチャンネルの次のチャンネル番号をＯＳＤ表示する（ｓｔ４１０、ｓｔ４２０）。次に、次チャンネルが番組記憶テーブルに記憶されているか否かを識別する（ｓｔ４３０）。
【００４１】
記憶されていない場合は、次チャンネルに切り替え、ユーザに提示する（ｓｔ４４０）。
【００４２】
記憶されている場合は、ｓｔ４２０で提示したチャンネル番号が、ユーザに確認可能となるようウェイトし（ｓｔ４４０）、次チャンネルの次のチャンネル番号をＯＳＤ表示し（ｓｔ４５０、ｓｔ４２０）、先の動作を繰り返す。
以上の構成において、本実施例に関するデジタルテレビの動作に関して以下に説明する。
【００４３】
第一の実施例と同様に、ユーザがデジタルテレビを視聴中で、興味のある番組が放送されているか否かを確認するために、チャンネルアップボタン３１０、チャンネルダウンボタン３２０を適宜操作し、１０４チャンネルの視聴になったものとする。そして、１０４チャンネルで放送されている番組は、ユーザにとって全く興味のない番組であるため、スキップボタン３４０を操作する。すると、現在視聴中の１０４チャンネルが番組記憶テーブルに記憶される。
【００４４】
この状態で、すなわち１０４チャンネルを視聴中に、ユーザがチャンネルアップボタン３２０を操作すると、ＣＰＵ２１０は、図５におけるｓｔ４１０、ｓｔ４２０、ｓｔ４３０と動作し、１０５チャンネルに切り替え、番組を提示する。さらに、チャンネルアップボタン３２０の操作で、１０６チャンネル、１０７チャンネルと切り替え、番組を提示し、１０３チャンネルまで順次切り替え、番組を提示することは、第一の実施例と同様である。したがって、ここでもユーザは１０４チャンネル以外のチャンネルの番組を確認することが可能である。
【００４５】
次に、この状態、すなわち１０３チャンネルを視聴中に、ユーザがチャンネルアップボタン３２０を操作すると、ＣＰＵ２１０は、図５におけるｓｔ４１０、ｓｔ４２０と動作し、次チャンネル番号である１０４をＯＳＤ表示する。さらにＣＰＵ２１０は、ｓｔ４３０からｓｔ４５０へと動作し、ウェイト後、次チャンネルを１０５チャンネルとし、さらにｓｔ４２０と動作し、チャンネル番号１０５をＯＳＤ表示し、ｓｔ４３０からｓｔ４４０へと動作しチャンネルを１０５チャンネルに切り替え、番組を提示する。したがって、ユーザは興味のない番組である１０４チャンネルを、特別な操作を必要とせず、スキップすることが可能となる。さらに、ＣＰＵ２１０は、チャンネル番号１０４を、ウェイト時間も含めＯＳＤ表示しているため、ユーザは１０４チャンネルがスキップされたことの判別が可能となる。
【００４６】
次に、第一の実施例と同様に、ユーザのスキップボタン３４０の操作により、番組記憶テーブルに、１０３チャンネルと１０４チャンネルが記憶された状態であり、１０２チャンネルを視聴中であるものとする。
【００４７】
この状態で、ユーザがチャンネルアップボタン３２０を操作すると、ＣＰＵ２１０は、図５におけるｓｔ４１０、ｓｔ４２０と動作し、次チャンネル番号である１０３をＯＳＤ表示する。さらにＣＰＵ２１０は、ｓｔ４３０からｓｔ４５０へと動作し、ウェイト後、次チャンネルを１０４チャンネルとし、さらにｓｔ４２０と動作し、チャンネル番号１０４をＯＳＤ表示する。そしてさらにＣＰＵ２１０は、ｓｔ４３０からｓｔ４５０へと動作し、ウェイト後、次チャンネルを１０５チャンネルとし、さらにｓｔ４２０と動作し、チャンネル番号１０５をＯＳＤ表示し、ｓｔ４３０からｓｔ４４０へと動作しチャンネルを１０５チャンネルに切り替え、番組を提示する。したがって、ユーザは興味のない番組である１０３チャンネルと１０４チャンネルの複数の番組を、特別な操作を必要とせず、スキップすることが可能となる。さらに、ＣＰＵ２１０は、チャンネル番号１０３、１０４共、ウェイト時間も含めＯＳＤ表示しているため、ユーザは１０３チャンネルと１０４チャンネルがスキップされたことの判別が可能となる。
【００４８】
本実施例において、チャンネルダウンボタン３２０が操作されたときの動作は、第一の実施例より容易に推測可能であるため、ここでは説明を省略する。
【００４９】
本実施例において、チャンネル番号を表示するよう構成したが、デジタル放送等では、番組タイトル、ジャンル等の番組情報の受信、判別が可能であり、チャンネル番号に代わって、あるいはチャンネル番号と共に、それら番組情報を表示するよう構成してもよい。
【００５０】
（第三の実施例）
第二の実施例において、図５におけるｓｔ４２０において、チャンネル番号をＯＳＤ表示する構成としたが、ｓｔ４２０において、該チャンネルの番組をも同時に表示する構成であってよい。この構成における、ＣＰＵ２１０の、チャンネルアップボタン３１０が操作されたときの動作フローを図６に示す。
【００５１】
また、本実施例においては、リモコンにスキップ停止ボタン（不図示）を有しており、ＣＰＵ２１０は、スキップ停止ボタンが操作されると、現在視聴中のチャンネルを番組記憶テーブルより削除するよう、構成されている。
【００５２】
本実施例においては、第二の実施例と同様に、ユーザはスキップされたチャンネルの判別が可能であるうえ、スキップされた番組内容も判別可能となる。
【００５３】
スキップされた番組の内容の判別の結果、ユーザが興味あるならば、リモコンのテンキー（不図示）を使用した、チャンネル番号の直接入力等で、該番組の視聴が可能となる。
【００５４】
さらにその結果、ユーザがスキップすることを停止したい場合は、スキップ停止ボタン（不図示）を操作すれば、その後チャンネルアップボタン３１０、またはチャンネルダウンボタン３２０の操作により、該チャンネルがスキップされることはなくなる。
【００５５】
また、ＣＰＵ２１０が、リモコンのスキップボタン３４０が操作されると、現在視聴されているチャンネルが番組記憶テーブルあるか否かを識別し、記憶されていない場合は現在視聴されている番組を番組記憶テーブルに記憶し、記憶されている場合は、該チャンネルを番組記憶テーブルより削除するように構成してもよい。このように構成すれば、ユーザがスキップすることを停止したい場合は、スキップボタン３４０を操作すればよい。
【００５６】
（第四の実施例）
本発明を適用した第四の実施例であるところの、デジタルテレビを以下に説明する。第二の実施例における、デジタルテレビの構成は図１と同様であり、本実施例で使用するリモコンも、図３に示すものである。以下に異なるところに関して説明する。
【００５７】
本実施例において、ＣＰＵ２１０は、リモコンのスキップボタン３４０が操作されると、現在視聴されているチャンネルを、番組情報より取得した現在視聴中の番組の終了時刻と共に、番組記憶テーブル記憶する。
【００５８】
また、本実施例における、ＣＰＵ２１０の、チャンネルアップボタン３１０が操作されたときの動作フローを図７に示し、以下に説明する。
【００５９】
チャンネルアップボタン３１０が操作されると、現在視聴されているチャンネルの次のチャンネルに切り替えようと試みる（ｓｔ５１０）。ただし、切り替える前に、該チャンネルが番組記憶テーブルに記憶されているか否かを識別する（ｓｔ５２０）。
【００６０】
記憶されていない場合は、該チャンネルに切り替え、ユーザに提示する（ｓｔ５３０）。
【００６１】
記憶されている場合は、番組記憶テーブルの該チャンネルの番組の終了時刻と、現在時刻を比較する（ｓｔ５４０）。
【００６２】
終了時刻が、現在時刻以前である場合は、該チャンネルを番組記憶テーブルより削除し（ｓｔ５５０）、該チャンネルに切り替え、番組を提示する。
【００６３】
終了時刻が、現在時刻以降である場合は、切り替えようと試みるチャンネルを、現在視聴されているチャンネルの、次のさらに次のチャンネルとし（ｓｔ５６０）、先の動作を繰り返す。
【００６４】
以上の構成において、本実施例に関するデジタルテレビの動作に関して以下に説明する。
【００６５】
第一の実施例と同様に、ユーザがデジタルテレビを視聴中で、興味のある番組が放送されているか否かを確認するために、チャンネルアップボタン３１０、チャンネルダウンボタン３２０を適宜操作し、１０４チャンネルの視聴になったものとする。また、現在の時刻は２０時であるとする。そして、１０４チャンネルで放送されている番組は、ユーザにとって全く興味のない番組であるため、スキップボタン３４０を操作する。すると、現在視聴中１０４チャンネルと、１０４チャンネルで放送されている番組の終了時刻、ここでは２１時とする、が番組記憶テーブルに記憶される。
【００６６】
この状態で、すなわち１０４チャンネルを視聴中に、ユーザがチャンネルアップボタン３２０を操作すると、ＣＰＵ２１０は、図７におけるｓｔ５１０、ｓｔ５２０、ｓｔ５３０と動作し、１０５チャンネルに切り替え、番組を提示する。さらに、チャンネルアップボタン３２０の操作で、１０６チャンネル、１０７チャンネルと切り替え、番組を提示し、１０３チャンネルまで順次切り替え、番組を提示することは、第一の実施例と同様である。したがって、ここでもユーザは１０４チャンネル以外のチャンネルの番組を確認することが可能である。
【００６７】
次に、この状態、すなわち１０３チャンネルを視聴中に、ユーザがチャンネルアップボタン３２０を操作すると、ＣＰＵ２１０は、図７におけるｓｔ５１０、ｓｔ５２０、ｓｔ５４０、ｓｔ５６０と動作し、ｓｔ５６０で次チャンネルを１０５チャンネルとし、さらにｓｔ５１０、ｓｔ５２０、ｓｔ５３０と動作し、１０５チャンネルに切り替え、番組を提示する。したがって、ユーザは全く興味のない番組である１０４チャンネルを、特別な操作を必要とせず、スキップすることが可能となる。
【００６８】
次に、同様の状態、すなわち１０３チャンネルを視聴中であり、ただし、時刻が２１時３０分になったものとする。この時、ユーザがチャンネルアップボタン３２０を操作すると、ＣＰＵ２１０は、図７におけるｓｔ５１０、ｓｔ５２０、ｓｔ５４０と動作し、ｓｔ５４０の判断でｓｔ５５０と動作し、番組記憶テーブルに記憶されている１０４チャンネルと該チャンネルの番組の終了時刻とを削除し、さらにｓｔ５３０と動作し、１０４チャンネルに切り替え、番組を提示する。したがって、ユーザは、同じ１０４チャンネルであっても、全く興味のない番組が終了した後は、特別な操作を必要とせず、確認することが可能となる。
【００６９】
本実施例において、ユーザのスキップボタン３４０の操作により、番組記憶テーブルに、１０３チャンネルと１０４チャンネルが記憶された状態であるときの動作は、第一、第二の実施例より容易に推測可能であるため、ここでは説明を省略する。
【００７０】
同様に本実施例において、チャンネルダウンボタン３２０が操作されたときの動作は、第一の実施例より容易に推測可能であるため、ここでは説明を省略する。
【００７１】
（第五の実施例）
本発明を適用した第五の実施例であるところの、デジタルテレビを以下に説明する。第二の実施例における、デジタルテレビの構成は図１と同様であり、本実施例で使用するリモコンも、図３に示すものである。以下に異なるところに関して説明する。
【００７２】
本実施例において、ＣＰＵ２１０は、リモコンのスキップボタン３４０が操作されると、現在視聴されているチャンネルを番組記憶テーブルに記憶し、その後、図３に示す処理を行う。
【００７３】
本実施例によれば、第一の実施例と同様に、ユーザがデジタルテレビを視聴中で、興味のある番組が放送されているか否かを確認するために、チャンネルアップボタン３１０、チャンネルダウンボタン３２０を適宜操作し、１０４チャンネルの視聴になったものとする。そして、１０４チャンネルで放送されている番組は、ユーザにとって全く興味のない番組であるため、スキップボタン３４０を操作する。すると、現在視聴中の１０４チャンネルが番組記憶テーブルに記憶される上、チャンネルが１０５チャンネルに切り替わり、ユーザは１０５チャンネルの視聴状態となる。したがって、ユーザは全く興味のない番組である１０４チャンネルを、スキップするための操作と共に、スキップすることが可能となる。
【００７４】
また、ユーザのスキップボタン３４０の操作により、番組記憶テーブルに、１０４チャンネルが記憶された状態であり、１０３チャンネルの視聴中であるものとする。ここで、１０３チャンネルで放送されている番組は、ユーザにとって興味のない番組であるため、スキップボタン３４０を操作する。すると、現在視聴中の１０３チャンネルが番組記憶テーブルに記憶される上、１０４チャンネルがスキップされ、チャンネルが１０５チャンネルに切り替わり、ユーザは１０５チャンネルの視聴状態となる。したがって、ユーザは全く興味のない番組である１０３チャンネルと、１０４チャンネルを、１０３チャンネルをスキップするための操作と共に、スキップすることが可能となる。
【００７５】
【発明の効果】
以上説明したように、本発明によれば、ユーザが興味のない番組を放送するチャンネルを選局した際に、容易な操作で該チャンネルの選局動作をスキップするための設定を行うことができ、ユーザの嗜好に応じた選局動作を実行可能とする。
【図面の簡単な説明】
【図１】本発明を適用したデジタルテレビの構成図。
【図２】本発明の実施例に使用するリモコンの図。
【図３】第一の実施例における、ＣＰＵ２１０の動作を示すフロー図。
【図４】第一の実施例における、ＣＰＵ２１０の動作を示すフロー図。
【図５】第二の実施例における、ＣＰＵ２１０の動作を示すフロー図。
【図６】第三の実施例における、ＣＰＵ２１０の動作を示すフロー図。
【図７】第四の実施例における、ＣＰＵ２１０の動作を示すフロー図。
【符号の説明】
１１０　チューナー部
１２０　アンテナ
１３０　デマルチプレクサ
１４０　ビデオデコーダ
１５０　音声デコーダ
１５０、１６０　画像合成部
１７０　音声出力部
１８０　ＯＳＤメモリ
１９０　表示部
２００　リモコン信号受信部
２１０　制御部であるところのＣＰＵ
２２０　メモリ
３００　電源ボタン
３１０　チャンネルアップボタン
３２０　チャンネルダウンボタン
３３０　音量ボタン
３４０　スキップ
【図１】
2004104487.tif 000003
【図２】
2004104487.tif 000004
【図３】
2004104487.tif 000005
【図４】
2004104487.tif 000006
【図５】
2004104487.tif 000007
【図６】
2004104487.tif 000008
【図７】
2004104487.tif 000009